(57)【要約】【課題】台形状断面を有する板部材の表面から四周側面を一枚の化粧シートで覆う化粧板材を提供する。【解決手段】台形状断面を有する板部材２０の少なくとも表面２１と第一側面２３と第二側面２６とを覆うように化粧シート３０が貼着されてなる化粧板材１０。化粧シートは、板部材の表面を覆う中央部３１と、板部材の第一側面を覆う第一延長部３２と、板部材の第二側面の傾斜面と垂直面を連続して覆う第二延長部３３とを有する。化粧シートの中央部を板部材の表面に貼着し、第一延長部を表面第一交差線２７ａに沿って折り曲げて第一側面に貼着すると共に、第二延長部を表面第二交差線２７ｂに沿って折り曲げて第二側面に貼着したときに、第一延長部の端縁３５ａ，３５ｂと第二延長部の端縁３５ｃがいずれも板部材の第一側面と第二側面との傾斜交差線２８ａおよび垂直交差線２８ｂ上に位置するので、これらの継ぎ目が目立たない。【選択図】図２
2016078383.tif 000002
【特許請求の範囲】
【請求項１】
矩形状の表裏面と、表裏面に対して略垂直な一対の第一側面と、表裏面に対して所定の角度θ（０＜θ＜９０度）で傾斜する傾斜面と表裏面に対して略垂直な垂直面とから形成される一対の第二側面とを有してなる板部材と、この板部材の少なくとも表面と第一側面と第二側面を覆うように貼着される化粧シートとからなる化粧板材において、化粧シートは、板部材の表面を覆う中央部と、中央部の一対の対向辺から各々外方に延長形成され、板部材の第一側面を覆う第一延長部と、中央部の他の一対の対向辺から各々外方に延長形成され、板部材の第二側面の傾斜面と垂直面を連続して覆う第二延長部とを有し、化粧シートの中央部を板部材の表面に貼着し、第一延長部を板部材の表面と第一側面との境界線に沿って折り曲げて第一側面に貼着すると共に、第二延長部を板部材の表面と第二側面との境界線に沿って折り曲げて第二側面に貼着したときに、第一延長部と第二延長部との継ぎ目が板部材の第一側面と第二側面との略交差線上に位置することを特徴とする化粧板材。
【請求項２】
化粧シートの第一延長部および第二延長部の少なくともいずれか一方が、板部材の裏面側に回り込んで板部材の裏面の一部に貼着される裏面被覆部を有することを特徴とする、請求項１記載の化粧板材。
【発明の詳細な説明】
【技術分野】
【０００１】
本発明は、板部材の表面および四周側面に一枚の化粧シートを貼着してなる化粧板材に関する。
【背景技術】
【０００２】
天然板材の枯渇化およびそれに伴う価格上昇などを背景として、無垢材に代えて、板部材の表面および四周側面を化粧シートで被覆してなる化粧板材を建材などに用いることが広く行われている。このような化粧板材の一例が図１０に示されており、板部材２と略同一の長手方向長さを有すると共に板部材２より長い短手方向長さを有する化粧シート３を用いて、板部材２の表面からその長手方向に延長する一対の側面を覆い、さらに化粧シート３の両端を板部材２の裏面にまで巻き込むようにして板部材２に貼着し、化粧シート３によっては被覆されない板部材の他の一対の側面には縁材（または化粧シート３とは別の化粧シート）４をそれぞれ貼着して、化粧板材１を形成している。この例では、化粧シート３および縁材４にはそれぞれ木目調の印刷模様５，６が形成されている。
【０００３】
また、特許文献１に記載されるように、板部材の表面および四周側面に一枚の化粧シートを貼着してなる化粧板材（シートラッピング製品）も公知である。この化粧板材に用いる化粧シートは、板部材の隣り合う２側面に貼着する貼付片（第一側面貼付片と第二側面貼付片）同士の間が三角形状の切欠きであらかじめ分断されており、板部材の表面から第一側面を覆うように貼着した後、第一側面貼付片の両端を折り返して第二側面貼付片と共に第二側面に貼着して、化粧板材を形成する。
【先行技術文献】
【特許文献】
【０００４】
【特許文献１】特開２００８−０８７１６０号公報
【発明の概要】
【発明が解決しようとする課題】
【０００５】
化粧板材は化粧シート貼りによって表面意匠性が向上されているが、特にドアや引戸、収納家具などの扉体として用いられる場合、その表面から側面にかけて人の手や物に接触する機会が多くなり、このような箇所に化粧シートの継ぎ目が存在すると、化粧シートが剥がれて表面意匠性を損なうことになる。
【０００６】
図１０に例示した従来技術によると、板部材２の長手方向両端において表面と側面との境界線に化粧シート３と縁材４の継ぎ目が現出する。板部材２の表面と側面との境界線７は、この化粧板材を建材として使用した場合に人の目につきやすい箇所であるため、見栄えが悪くなる。化粧シート２と縁材３は別部材であり、これらに木目模様４，５を印刷形成したとしても、連続した木目模様を形成することは不可能であり、色調なども完全に一致させることはできないので、より一層見栄えが悪くなる。加えて、板部材の表面と側面との境界線は人の手や物に接触する機会が多く、線状の小さな接触面積に大きな力が作用して擦れることにより、化粧シート２および／または縁材３が剥がれやすい。
【０００７】
特許文献１記載の従来技術のように一枚の化粧シートで板部材の表面から四周側面を覆うようにした場合は、上記の不利欠点の一部を解消させることができるが、第一側面貼付片の両端を折り返して第二側面貼付片と共に第二側面に貼着したときに、これらの継ぎ目が板部材の第二側面に現出する（図１（ａ），図２（ａ），図３（ａ），図４（ａ），図５（ａ）参照）。板部材の側面は、この化粧板材を建材として使用した場合に人の目につきやすい箇所であるため、見栄えが悪くなる。特に木目模様などを印刷した化粧シートを用いる場合、継ぎ目が側面に現出すると、その部分で模様が途切れて連続しないので、見栄えが大きく損なわれる。また、板部材の側面は人の手や物に接触する機会が多いので、第一側面貼付片の両端の折り返し部分が剥がれやすい。
【０００８】
また、特許文献１記載の従来技術は、単純な直方体形状の板部材にしか適用することができず、図１１に示したような形状の板部材、すなわち、一対の対向する側面（図１１では長手方向に延長する側面）が傾斜面と垂直面とで形成され、断面が台形状である板部材には適用することができない。
【０００９】
したがって、本発明が解決しようとする課題は、台形状断面を有する板部材の表面から四周側面を一枚の化粧シートで覆う化粧板材であって、意匠性に優れ、長年の使用によっても化粧シートが剥がれにくい化粧板材を提供することである。
【課題を解決するための手段】
【００１０】
この課題を解決するため、本願の請求項１に係る発明は、矩形状の表裏面と、表裏面に対して略垂直な一対の第一側面と、表裏面に対して所定の角度θ（０＜θ＜９０度）で傾斜する傾斜面と表裏面に対して略垂直な垂直面とから形成される一対の第二側面とを有してなる板部材と、この板部材の少なくとも表面と第一側面と第二側面を覆うように貼着される化粧シートとからなる化粧板材において、化粧シートは、板部材の表面を覆う中央部と、中央部の一対の対向辺から各々外方に延長形成され、板部材の第一側面を覆う第一延長部と、中央部の他の一対の対向辺から各々外方に延長形成され、板部材の第二側面の傾斜面と垂直面を連続して覆う第二延長部とを有し、化粧シートの中央部を板部材の表面に貼着し、第一延長部を板部材の表面と第一側面との境界線に沿って折り曲げて第一側面に貼着すると共に、第二延長部を板部材の表面と第二側面との境界線に沿って折り曲げて第二側面に貼着したときに、第一延長部と第二延長部との継ぎ目が板部材の第一側面と第二側面との略交差線上に位置することを特徴とする。
【００１１】
本願の請求項２に係る発明は、請求項１記載の化粧板材において、化粧シートの第一延長部および第二延長部の少なくともいずれか一方が、板部材の裏面側に回り込んで板部材の裏面の一部に貼着される裏面被覆部を有することを特徴とする。
【発明の効果】
【００１２】
請求項１に係る本発明によれば、板部材の表面から四周側面にかけて連続して一枚の化粧シートが貼着されるので、色や柄が統一された見栄えの良い化粧板材とすることができる。特に、木目柄を有する化粧シートを用いた場合、板部材の表面だけでなく第一側面および第二側面にも連続して木目柄が現出するので、天然木材のように見える効果がある。
【００１３】
また、化粧シートの第一延長部と第二延長部との継ぎ目が、板部材の第一側面と第二側面との略交差線上に位置するので、人の目に付きにくく、継ぎ目が目立つことによって見栄えが悪くなることを防止することができる。
【００１４】
請求項２に係る本発明によれば、上記の効果に加えて、化粧シートが板部材の裏面側まで回り込んで貼着されるので、化粧シートが剥がれて見栄えを悪くすることを防止する効果が発揮される。
【図面の簡単な説明】
【００１５】
【図１】本発明の一実施形態による化粧板材の斜視図である。
【図２】この化粧板材の分解斜視図である。
【図３】図１中Ａ部拡大図である。
【図４】化粧シートの延長部を板部材の側面に貼着する前の状態を示すＡ部拡大図である。
【図５】この化粧板材に用いる板部材の平面図（ａ）、正面図（ｂ）、背面図（ｃ）、左側面図（ｄ）および右側面図（ｅ）である。
【図６】この化粧板材に用いる化粧シートの平面図である。
【図７】この化粧板材に使用可能な化粧シートの一例を示す平面図である。
【図８】この化粧板材に使用可能な化粧シートの他例を示す平面図である。
【図９】この化粧板材に使用可能な化粧シートのさらに他例を示す平面図である。
【図１０】従来技術により化粧板材の斜視図である。
【発明を実施するための最良の形態】
【００１６】
本発明の好適な一実施形態による化粧板材について、図１〜図６を参照して以下に詳述する。この化粧板材１０は、板部材２０の少なくとも表面および四周側面を覆うように化粧シート３０が貼着されてなる。なお、図において板部材２０に施されている斜線は木目を示すものではなく、化粧シート３０との違いを示すためのものである。
【００１７】
板部材２０について、特に図２および図５を参照して説明すると、この板部材２０は、矩形状の表面２１と、矩形状の裏面２２と、これら表裏面２１，２２に対して略垂直な一対の第一側面２３，２３と、矩形状の表裏面２１，２２に対して所定の角度θ（０＜θ＜９０度）で傾斜する傾斜面２４と表裏面２１，２２に対して略垂直な垂直面２５とから形成される一対の第二側面２６，２６とを有してなる、略直方体である。板部材２０の材質は特に限定されず、その用途などに応じて、合板、ＭＤＦ、パーティクルボードなどの木質系板材、合成樹脂板材、金属製板材などを用いることができる。板部材２０の寸法は特に限定されないが、この実施形態では、表面２１が３８９ｍｍ×２２１７ｍｍ、裏面２２が３９７ｍｍ×２２１７ｍｍ、厚さが１８ｍｍ（傾斜面２４の部分の厚さ７．５ｍｍ＋垂直面２５の部分の厚さ１０．５ｍｍ）であり、傾斜面２４は垂直面２５に対して３０度（表面２１に対して６０度）の傾斜角度θを有し、その面の長さは８．７ｍｍである。
【００１８】
この板部材２０の少なくとも表裏面（表面２１および裏面２２）および四周側面（第一側面２３，２３および第二側面２６，２６）を被覆するために用いられる化粧シート３０について、特に図２および図６を参照して説明すると、この化粧シート３０は、板部材表面２１と同一形状および寸法を有して板部材表面２１を被覆する矩形状の中央部３１と、その一対の対向辺から各々外方に延長する第一延長部３２，３２と、他の一対の対向辺から各々外方に延長する第二延長部３３，３３とを有するシート状部材であり、その表面全般には木目調の印刷模様３４が施されている。化粧シート３０の材質は、合成樹脂シート、化粧紙、突板など板部材２０に貼着することができるものであれば特に限定されないが、安全性および環境保護の観点が重視されるときは、燃焼時に塩化水素ガスやダイオキシンをほとんど発生しないオレフィン（ポリエチレン、ポリプロピレンなど）シートを用いることが好ましい。
【００１９】
化粧シート３０の第一延長部３２は板部材２０の少なくとも第一側面２３を被覆し、第二延長部３３は板部材２０の少なくとも第二側面２６を被覆する。この実施形態では、第一延長部３２は板部材２０の第一側面２３のみを全面的に被覆するために、第一側面２３と略同一の形状および大きさを有するものとして形成されているが、第二延長部３３は、板部材２０の第二側面２６から裏面２２側に回り込んで裏面２２の一部を被覆するために、板部材２０の第二側面２６の傾斜面２４を被覆する傾斜面被覆部３３ａと、板部材２０の第二側面２６の垂直面２５を被覆する垂直面被覆部３３ｂとに加えて、さらに、板部材２０の裏面２２に回り込んで裏面２２の一部を被覆する裏面被覆部３３ｃを有するものとして形成されている。
【００２０】
このような形状の化粧シート３０は、第一延長部３２，３２および第二延長部３３，３３の各外側縁を四辺とする矩形状シート３０’（図６）の４つの角を所定形状に切り欠くことにより形成することができる。各切欠３５は、第一延長部３２の両端に表れる第一辺３５ａおよび第二辺３５ｂと、第二延長部３３の両端に表れる第三辺３５ｃとによって規定される。第一辺３５ａは、中央部３１と第一延長部３２との境界線３６に対して垂直に延長し、第二辺３５ｂは、第一辺３５ａに対して板部材２０の傾斜面２４の傾斜角度θと同一角度θで傾斜し、第三辺３５ｃは、境界線３６の延長線（したがって、中央部３１と第二延長部３３との境界線３７に対する垂直線）として形成される。切欠３５の最奥に位置する第二辺３５ｂと第三辺３５ｃとの交点は、矩形状中央部３１の角に一致する。
【００２１】
以上の説明から理解されるように、板部材２０の各部が前述の寸法を有する場合、化粧シート３０の第一延長部３２の両端に表れる第一辺３５ａおよび第二辺３５ｂの長さは、それぞれ板部材２０の第二側面２６の傾斜面２４および垂直面２５の長さと同じ８．７ｍｍおよび１０．５ｍｍであり、化粧シート３０の第二延長部３３の両端に表れる第三辺３５ｃの長さは、傾斜面被覆部３３ａの幅８．７ｍｍと垂直面被覆部３３ｂの幅１０．５ｍｍとの合計１９．２ｍｍにさらに裏面被覆部３３ｃの幅１０ｍｍを加えた２９．２ｍｍとなる。
【００２２】
上記した板部材２０と化粧シート３０（切欠形成前の化粧シート３０’の４つの角に各々切欠３５を形成したもの）を用い、化粧シート３０の裏面に接着剤を塗布して、その中央部３１を板部材２０の表面２１に貼着し、第一延長部３２を板部材２０の表面２１と第一側面２３との角（表面第一交差線２７ａ）に沿って折り曲げて第一側面２３に貼着すると共に、第二延長部３３を板部材２０の表面２１と第二側面２６（傾斜面２４）との角（表面第二交差線２７ｂ）に沿って折り曲げてその傾斜面被覆部３３ａと垂直面被覆部３３ｂを第二側面２６の傾斜面２４と垂直面２５に順次に貼着し、さらに、第二延長部の裏面被覆部３３ｃを板部材２０の裏面２２と第二側面２６（垂直面２５）との角（裏面第二交差線２７ｄ）に沿って折り曲げて裏面２２に貼着することにより、図１の化粧板材１０が得られる。さらに、板部材２０の素材の色柄が裏面２２に現出することを防止するために、裏面２２に合成樹脂シートなどを貼着しても良い。
【００２３】
このとき、図３および図４に詳細に示されるように、化粧シート３０の第二延長部３３は、表面２１と傾斜面被覆部３３ａとの境界線３７、傾斜面被覆部３３ａと垂直面被覆部３３ｂとの境界線３８および垂直面被覆部３３ｂと裏面被覆部３３ｃとの境界線３９をそれぞれ折れ線として折り曲げて板部材２０の傾斜面２４、垂直面２５および裏面２２に順次に貼着されるので、その端縁（切欠３５の第三辺３５ｃ）は、板部材２０の第一側面２２と第二側面２６との境界線（第一側面２２と傾斜面２４との角をなす傾斜交差線２８ａおよび第一側面２２と垂直面２５との角をなす垂直交差線２８ｂ）上に位置する。また、化粧シート３０の第一延長部３２は、既述したようにその端縁が板部材２０の傾斜面２４と垂直面２５に合致するように形成された第一辺３５ａと第二辺３５ｂを有するので、これを境界線３６で折り曲げて板部材２０の第一側面２３に貼着したときに、第一辺３５ａが傾斜交差線２８ａ上に位置し、第二辺３５ｂが垂直交差線２８ｂ上に位置する。すなわち、切欠２５によって分断された化粧シート３０の第一延長部３２と第二延長部３３との間の継ぎ目が、板部材２０の傾斜交差線２８ａおよび垂直交差線２８ｂの略線上に位置するので、目立たない。この継ぎ目が完全に線上に位置せずに若干の隙間が生じた場合であっても、板部材２０の側面同士の角（傾斜交差線２８ａおよび垂直交差線２８ｂ）での隙間なので、それほど目立たない。この場合には、より見栄えを良くするために、交差線２８ａ，２８ｂ上の隙間を削って整形したり、隙間に着色しても良い。
【００２４】
既述したように、化粧シート３０は板部材２０の少なくとも表面および四周側面を覆うものであり、中央部３１が板部材２０の表面２１に貼着され、第一延長部３２が板部材２０の少なくとも第一側面２３に貼着され、第二延長部３３が板部材２０の少なくとも第二側面２６に貼着されるが、第一延長部３２および／または第二延長部３３を板部材２０の裏面２２側に回り込ませて裏面２２で貼着するようにしても良い。このようにすると、化粧シート３０の端縁が板部材２０の裏面２２側に位置することになるので、人の手や物に接触しにくく、剥がれにくいものとすることができる。
【００２５】
図２および図６に示す化粧シート３０は、第一延長部３２には裏面被覆部を設けずに第二延長部３３に裏面被覆部３３ｃを設けた例であるが、図７に示すように、第一延長部３２を第一側面被覆部３２ａに加えて裏面被覆部３２ｂを設けて第二延長部３３については裏面被覆部３３ｃを省略しても良いし、図８に示すように、第一延長部３２と第二延長部３３の両方に裏面被覆部３２ｂ，３３ｃを設けても良い。第一延長部３２に裏面被覆部３２ｂを設ける場合は、第一延長部３２を板部材２０の表面第一交差線２７ａに沿って折り曲げて第一側面２３に貼着し、さらに、裏面被覆部３２ｂを板部材２０の裏面２２と第一側面２２との角（裏面第一交差線２７ｃ）に沿って折り曲げて裏面２２に貼着する。図８の化粧シート３０を用いた場合は、第一延長部３２の裏面被覆部３２ｂと第二延長部３３の裏面被覆部３３ｃとが板部材２０の裏面２２の角部において部分的に重なり合うことになるが、いずれを上にして貼着しても良い。
【００２６】
第一延長部３２および／または第二延長部３３に裏面被覆部３２ｂ，３３ｃを設ける場合、その長さを５ｍｍ以上とすることが好ましい。５ｍｍ以下であると、板部材２０の裏面２２側に回り込んだ化粧シート３０の端縁が、側面２２，２６との角（交差線）からの距離が短すぎて、指先が引っ掛かり、徐々に剥がれていく可能性がある。化粧シート３０が板部材２０の裏面２２に５ｍｍ以上貼着されていれば、指先が引っ掛かる可能性が小さくなり、また、たとえ引っ掛かって剥がれ始めたとしても、その剥がれが側面２２，２６まで到達して見栄えを悪くする恐れは小さい。
【００２７】
なお、図９に示すように、第一延長部３２と第二延長部３３のいずれにも裏面被覆部を設けない実施形態の場合は、上述の効果を得ることはできないが、このような実施形態も本発明の範囲内である。
【符号の説明】
【００２８】
１０  化粧板材
２０  板部材
２１  表面
２２  裏面
２３  第一側面
２４  傾斜面
２５  垂直面
２６  第二側面
２７ａ  表面と第一側面との角（表面第一交差線）
２７ｂ  表面と第二側面の傾斜面との角（表面第二交差線）
２７ｃ  裏面と第一側面の垂直面との角（裏面第一交差線）
２７ｄ  裏面と第二側面の垂直面との角（裏面第二交差線）
２８ａ  第一側面と傾斜面との角（傾斜交差線）
２８ｂ  第一側面と垂直面との角（垂直交差線）
３０  化粧シート
３０’  切欠形成前の化粧シート
３１  中央部
３２  第一延長部
３３  第二延長部
３４  印刷模様
３５  切欠
３６  中央部と第一延長部との境界線
３７  中央部と第二延長部（傾斜面被覆部）との境界線
３８  傾斜面被覆部と垂直面被覆部との境界線
３９  垂直面被覆部と裏面被覆部との境界線
【図１】
2016078383.tif 000003
【図２】
2016078383.tif 000004
【図３】
2016078383.tif 000005
【図４】
2016078383.tif 000006
【図５】
2016078383.tif 000007
【図６】
2016078383.tif 000008
【図７】
2016078383.tif 000009
【図８】
2016078383.tif 000010
【図９】
2016078383.tif 000011
【図１０】
2016078383.tif 000012